(57)【要約】  【課題】各ゴルファのグリップの握り方あるいはゴルフボールの球筋に対応して適合するゴルフクラブを選択できるゴルフクラブセット及びこれに用いるゴルフクラブ用グリップを提供する。  【解決手段】アイアンゴルフクラブセット１０のうち、ロフト角度が２０〜４１度の規定範囲にある全てのゴルフクラブは、グリップ２６及びゴルフクラブシャフト２２を切断したときの切断平面において、グリップ２６のバックライン２８が設けられたゴルフクラブシャフト周りの周上位置からゴルフクラブシャフト２２の中心軸を通る直線と、ゴルフクラブをライ角度通りに水平面上に置き、ゴルフクラブヘッド２４のフェース面上の平行な水平線を前記切断平面に投影したときの投影線とを定めたとき、前記直線の向きが、前記投影線の向きに対して絶対値で３〜５０度回転した状態でグリップ２６が装着されている。【選択図】図３
2006247169.tif 000002
【特許請求の範囲】
【請求項１】
ゴルフクラブシャフトの先端部にゴルフクラブヘッドを装着し、ゴルフクラブシャフトの後端部にグリップを装着したゴルフクラブを備える複数本のゴルフクラブを有し、これら複数本のゴルフクラブのロフト角度が番手毎に異なるゴルフクラブセットであって、
前記グリップ及び前記ゴルフクラブシャフトを前記ゴルフクラブシャフトの中心軸に垂直に切断したときの切断平面において、前記グリップのバックラインが設けられたゴルフクラブシャフト周りの周上位置からゴルフクラブシャフトの中心軸を通る直線と、ゴルフクラブをライ角度通りに水平面上に置き、ゴルフクラブヘッドのフェース面上の水平線を前記切断平面に投影したときの投影線とを定めたとき、前記直線の向きが、ロフト角度が２０〜４１度の規定範囲にある全てのゴルフクラブにおいて、前記投影線の向きに対して絶対値で３〜５０度回転していることを特徴とするゴルフクラブセット。
【請求項２】
ゴルフクラブシャフトの先端部にゴルフクラブヘッドを装着し、ゴルフクラブシャフトの後端部にグリップを装着したゴルフクラブを備える複数本のゴルフクラブを有し、これら複数本のゴルフクラブのロフト角度が番手毎に異なるゴルフクラブセットであって、
前記グリップ及び前記ゴルフクラブシャフトを前記ゴルフクラブシャフトの中心軸に垂直に切断したときの切断平面において、前記グリップに記されたマークを表す表示部の中心の、ゴルフクラブシャフト周りの周上位置からゴルフクラブシャフトの中心軸を通る直線と、ゴルフクラブをライ角度通りに水平面上に置き、ゴルフクラブヘッドのフェース面上の水平線を前記切断平面に投影したときの投影線とを定めたとき、前記直線の向きが、ロフト角度が２０〜４１度の規定範囲にある全てのゴルフクラブにおいて、前記投影線の向きに対して絶対値で３〜５０度回転していることを特徴とするゴルフクラブセット。
【請求項３】
ゴルフクラブシャフトの先端部にゴルフクラブヘッドを装着し、ゴルフクラブシャフトの後端部にグリップを装着したゴルフクラブを備える複数本のゴルフクラブを有し、これら複数本のゴルフクラブのロフト角度が番手毎に異なるゴルフクラブセットであって、
前記グリップ及び前記ゴルフクラブシャフトを前記ゴルフクラブシャフトの中心軸に垂直に切断したときの切断平面において、前記グリップのバックラインが設けられたゴルフクラブシャフト周りの周上位置からゴルフクラブシャフトの中心軸を通る直線と、ゴルフクラブをライ角度通りに水平面上に置き、ゴルフクラブヘッドのフェース面上の水平線を前記切断平面に投影したときの投影線とを定めたとき、前記直線の向きが、ロフト角度が１３〜２４度の規定範囲にある全てのゴルフクラブにおいて、前記投影線の向きに対して絶対値で３〜５０度回転していることを特徴とするゴルフクラブセット。
【請求項４】
ゴルフクラブシャフトの先端部にゴルフクラブヘッドを装着し、ゴルフクラブシャフトの後端部にグリップを装着したゴルフクラブを備える複数本のゴルフクラブを有し、これら複数本のゴルフクラブのロフト角度が番手毎に異なるゴルフクラブセットであって、
前記グリップ及び前記ゴルフクラブシャフトを前記ゴルフクラブシャフトの中心軸に垂直に切断したときの切断平面において、前記グリップに記されたマークを表す表示部の中心の、ゴルフクラブシャフト周りの周上位置からゴルフクラブシャフトの中心軸を通る直線と、ゴルフクラブをライ角度通りに水平面上に置き、ゴルフクラブヘッドのフェース面上の水平線を前記切断平面に投影したときの投影線とを定めたとき、前記直線の向きが、ロフト角度が１３〜２４度の規定範囲にある全てのゴルフクラブにおいて、前記投影線の向きに対して絶対値で３〜５０度回転していることを特徴とするゴルフクラブセット。
【請求項５】
前記角度のばらつきは、前記規定範囲にロフト角度のあるゴルフクラブにおいて１０度以下である請求項１〜４のいずれか１項に記載のゴルフクラブセット。
【請求項６】
前記規定範囲にある全てのゴルフクラブについて、ロフト角度が最小の番手から順番に１から始まる連続する自然数Ｘで表し、かつ前記角度をＹで表し、前記自然数Ｘに対する角度Ｙを回帰直線で回帰したとき、前記回帰直線の傾きが−１以下である請求項１〜５のいずれか１項に記載のゴルフクラブセット。
【請求項７】
ゴルフクラブシャフトの端部に装着する、筒状のゴルフクラブ用グリップであって、
筒状表面に識別用マークを表示する表示部と、
ゴルフクラブシャフトの長手方向に沿うようにバックラインと、を有し、
前記バックラインが、前記表示部の位置に対して絶対値で１３０〜１７７度離れた筒状の周上位置に設けられていることを特徴とするゴルフクラブ用グリップ。
【請求項８】
ゴルフクラブシャフトの端部に装着する、筒状のゴルフクラブ用グリップであって、
筒状表面に識別用マークを表示する表示部と、
ゴルフクラブシャフトの長手方向に沿うようにバックラインと、を有し、
前記バックラインが、前記表示部の位置に対して絶対値で３〜５０度離れた筒状の周上位置に設けられていることを特徴とするゴルフクラブ用グリップ。
【発明の詳細な説明】
【技術分野】
【０００１】
本発明は、ゴルフクラブシャフトの先端部にゴルフクラブヘッドを装着し、ゴルフクラブシャフトの後端部にグリップを装着した複数本のゴルフクラブを有するゴルフクラブセット及びこれらのゴルフクラブに用いるゴルフクラブ用グリップに関する。
【背景技術】
【０００２】
ゴルファにとって、打ち出したゴルフボールは曲がることなく、飛距離がでるゴルフクラブが望まれている。
特に、アイアンゴルフクラブは、ロフト角度が異なる複数本のゴルフクラブからなるゴルフクラブセットとして用いるため、ゴルファ個人に適したゴルフクラブセットの購入が強く望まれている。
【０００３】
例えば、下記特許文献１では、ロングアイアンやミドルアイアンでは打出し角が高くボールが上がり易く、ショートアイアンではスピンが多くボールが止まり易いゴルフクラブセットを提案している。具体的には、フェース部とバック部とソール部とで囲まれた中空部を有する中空タイプのアイアン型ゴルフクラブは、少なくともトウ側は、フェース部の厚さが下方ほど大きくなっていることを特徴とするゴルフクラブヘッドを有し、このようなゴルフクラブをセットとして用いることが開示されている。
【０００４】
しかし、このゴルフクラブセットでは、ゴルファ各個人に適したゴルフクラブか否かは、実際に試打しなければ判らない。
また、このようなゴルフクラブがゴルファ自身のゴルフスウィングに適したゴルフクラブであって打ち出されたゴルフボールの初速度が増大するものであっても、ゴルファ個人間で異なるグリップの握り方により、ゴルフクラブのグリップとの相性が必ずしも良くなく、曲がり易い球筋を呈する場合も多い。
【０００５】
【特許文献１】特開２００３−２６５６５２号公報
【発明の開示】
【発明が解決しようとする課題】
【０００６】
本発明は、上記問題を解決するために、ゴルファがゴルフクラブを購入する際、各ゴルファのグリップの握り方あるいはゴルフボールの球筋に対応して適合するゴルフクラブを選択できるゴルフクラブセット及びこれに用いるゴルフクラブ用グリップを提供することを目的とする。
【課題を解決するための手段】
【０００７】
本発明は、ゴルフクラブシャフトの先端部にゴルフクラブヘッドを装着し、ゴルフクラブシャフトの後端部にグリップを装着したゴルフクラブを備える複数本のゴルフクラブを有し、これら複数本のゴルフクラブのロフト角度が番手毎に異なるゴルフクラブセットであって、これらのゴルフクラブをライ角度通りに水平面上に置き、前記グリップ及び前記ゴルフクラブシャフトを前記ゴルフクラブシャフトの中心軸に垂直に切断したときの切断平面において、前記グリップのバックラインが設けられたゴルフクラブシャフト周りの周上位置からゴルフクラブシャフトの中心軸を通る直線と、ゴルフクラブヘッドのフェース面上の水平線を前記切断平面に投影したときの投影線とを定めたとき、前記直線の向きが、ロフト角度が２０〜４１度の規定範囲にある全てのゴルフクラブにおいて、前記投影線の向きに対して絶対値で３〜５０度回転していることを特徴とするゴルフクラブセットを提供する。
【０００８】
又、本発明は、ゴルフクラブシャフトの先端部にゴルフクラブヘッドを装着し、ゴルフクラブシャフトの後端部にグリップを装着したゴルフクラブを備える複数本のゴルフクラブを有し、これら複数本のゴルフクラブのロフト角度が番手毎に異なるゴルフクラブセットであって、前記グリップ及び前記ゴルフクラブシャフトを前記ゴルフクラブシャフトの中心軸に垂直に切断したときの切断平面において、前記グリップに記されたマークを表す表示部の中心の、ゴルフクラブシャフト周りの周上位置からゴルフクラブシャフトの中心軸を通る直線と、ゴルフクラブをライ角度通りに水平面上に置き、ゴルフクラブヘッドのフェース面上の水平線を前記切断平面に投影したときの投影線とを定めたとき、前記直線の向きが、ロフト角度が２０〜４１度の規定範囲にある全てのゴルフクラブにおいて、前記投影線の向きに対して絶対値で３〜５０度回転していることを特徴とするゴルフクラブセットを提供する。
【０００９】
又、本発明は、ゴルフクラブシャフトの先端部にゴルフクラブヘッドを装着し、ゴルフクラブシャフトの後端部にグリップを装着したゴルフクラブを備える複数本のゴルフクラブを有し、これら複数本のゴルフクラブのロフト角度が番手毎に異なるゴルフクラブセットであって、前記グリップ及び前記ゴルフクラブシャフトを前記ゴルフクラブシャフトの中心軸に垂直に切断したときの切断平面において、前記グリップに記されたマークを表す表示部の中心の、ゴルフクラブシャフト周りの周上位置からゴルフクラブシャフトの中心軸を通る直線と、ゴルフクラブをライ角度通りに水平面上に置き、ゴルフクラブヘッドのフェース面上の水平線を前記切断平面に投影したときの投影線とを定めたとき、前記直線の向きが、ロフト角度が２０〜４１度の規定範囲にある全てのゴルフクラブにおいて、前記投影線の向きに対して絶対値で３〜５０度回転していることを特徴とするゴルフクラブセットを提供する。
【００１０】
さらに、本発明は、ゴルフクラブシャフトの先端部にゴルフクラブヘッドを装着し、ゴルフクラブシャフトの後端部にグリップを装着したゴルフクラブを備える複数本のゴルフクラブを有し、これら複数本のゴルフクラブのロフト角度が番手毎に異なるゴルフクラブセットであって、前記グリップ及び前記ゴルフクラブシャフトを前記ゴルフクラブシャフトの中心軸に垂直に切断したときの切断平面において、前記グリップのバックラインが設けられたゴルフクラブシャフト周りの周上位置からゴルフクラブシャフトの中心軸を通る直線と、ゴルフクラブをライ角度通りに水平面上に置き、ゴルフクラブヘッドのフェース面上の水平線を前記切断平面に投影したときの投影線とを定めたとき、前記直線の向きが、ロフト角度が１３〜２４度の規定範囲にある全てのゴルフクラブにおいて、前記投影線の向きに対して絶対値で３〜５０度回転していることを特徴とするゴルフクラブセットを提供する。
【００１１】
又、本発明は、ゴルフクラブシャフトの先端部にゴルフクラブヘッドを装着し、ゴルフクラブシャフトの後端部にグリップを装着したゴルフクラブを備える複数本のゴルフクラブを有し、これら複数本のゴルフクラブのロフト角度が番手毎に異なるゴルフクラブセットであって、前記グリップ及び前記ゴルフクラブシャフトを前記ゴルフクラブシャフトの中心軸に垂直に切断したときの切断平面において、前記グリップに記されたマークを表す表示部の中心の、ゴルフクラブシャフト周りの周上位置からゴルフクラブシャフトの中心軸を通る直線と、ゴルフクラブをライ角度通りに水平面上に置き、ゴルフクラブヘッドのフェース面上の水平線を前記切断平面に投影したときの投影線とを定めたとき、前記直線の向きが、ロフト角度が１３〜２４度の規定範囲にある全てのゴルフクラブにおいて、前記投影線の向きに対して絶対値で３〜５０度回転していることを特徴とするゴルフクラブセットを提供する。
【００１２】
ここで、ゴルフクラブヘッドのフェース面上の水平線とは、ゴルフクラブを通常のアドレスポジションに（ライ角度通り設置した）状態における基準面（水平面）と平行なフェース面上の線を指す。この水平線は、一般的にはスコアラインで代用される。スコアラインはフェース面の基準を示すように設定されているものである。また、スコアラインが直線状でない等の場合には、通常のアドレスポジションに設置した状態において、フェース面状に基準面と平行になるような線を目印として付けてフェース面上の水平線とする。
【００１３】
ここで、前記角度のばらつきは、前記規定範囲にロフト角度のあるゴルフクラブにおいて１０度以下であることが好ましい。
又、前記規定範囲にある全てのゴルフクラブについて、ロフト角度が最小の番手から順番に１から始まる連続する自然数Ｘで表し、かつ前記角度をＹで表し、前記自然数Ｘに対する角度Ｙを回帰直線で回帰したとき、前記回帰直線の傾きが−１以下であることが好ましい。
【００１４】
さらに、本発明は、ゴルフクラブシャフトの端部に装着する、筒状のゴルフクラブ用グリップであって、筒状表面に識別用マークを表示する表示部と、ゴルフクラブシャフトの長手方向に沿うようにバックラインと、を有し、前記バックラインが、前記表示部の位置に対して絶対値で１３０〜１７７度離れた筒状の周上位置に設けられていることを特徴とするゴルフクラブ用グリップを提供する。
【００１５】
又、本発明は、ゴルフクラブシャフトの端部に装着する、筒状のゴルフクラブ用グリップであって、筒状表面に識別用マークを表示する表示部と、ゴルフクラブシャフトの長手方向に沿うようにバックラインと、を有し、前記バックラインが、前記表示部の位置に対して絶対値で３〜５０度離れた筒状の周上位置に設けられていることを特徴とするゴルフクラブ用グリップを提供する。
【発明の効果】
【００１６】
本発明では、ロフト角度が２０〜４１度の規定範囲にある全てのゴルフクラブにおいて、又は、ロフト角度が１３〜２４度の規定範囲にある全てのゴルフクラブにおいて、いわゆるグリップ角度が絶対値で３〜５０度時計回りに又反時計回りに回転した位置にグリップが装着されているので、例えばスライス傾向のゴルファやフック傾向のゴルファの球筋を調整する等、より多様化した要求に対応できるゴルフクラブセットの提供が可能になる。
【発明を実施するための最良の形態】
【００１７】
以下、添付の図面に示す好適実施形態に基づいて、本発明のゴルフクラブセット及びゴルフクラブ用グリップを詳細に説明する。
【００１８】
図１は、本発明の実施形態に係るゴルフクラブセットの一例を示す模式図である。
ゴルフクラブセット１０は、３番アイアン（Ａ３）から９番アイアン（Ａ９）、及びピッチングウェッジ（ＡＰ）、アプローチウェッジ（ＡＡ）、サンドウェッジ（ＡＳ）までの各番手のアイアン（Ａ３〜ＡＳ）１０本によって構成される。各アイアンは、一端にゴルフクラブヘッド１４を備え、他端にグリップ１６を備える。ゴルフクラブヘッド １４は、このヒール側で上方に向けられて突設されたホーゼルにソケット１９を介してゴルフクラブシャフト１２に連結されている。
【００１９】
ここで、番手とは、主にロフト角度の異なったゴルフクラブをロフト角度の順番に並べることのできるように、各ゴルフクラブに付与した数字（自然数）、文字または記号等によって表されたロフト角度の順番に関する識別情報の内容であり、各番手のロフト角度は、一定、または概ね一定の間隔で当業者によって適宜設定されている。また、番手が大きいとは、ロフト角度が大きい番手を指す。
【００２０】
これらのアイアンＡ３〜ＡＳのロフト角度は、例えば、Ａ３が２１°、Ａ４が２４°、Ａ５が２７°、Ａ６が３０°、Ａ７が３４°、Ａ８が３８°、Ａ９が４２°、ＡＰが４７°、ＡＡが５２°、ＡＳが５７°と番手が大きくなるにつれ、ロフト角度が大きくなっている。ここで、ロフト角度が２０°〜４１°の番手は、Ａ３〜Ａ８の６本の番手である。
なお、アイアンＡ３〜ＡＳのロフト角度は、Ａ３からＡ６までは３°の刻み幅で大きくなり、Ａ７からＡ９までは４°の刻み幅で大きくなり、ＡＰからＡＳまでは５°の刻み幅で大きくなっているが、アイアンＡ３〜ＡＳのロフト角度の刻み幅は、これに限定されず、３°または４°等の一定の刻み幅であってもよい。
また、グリップ１６の端部からゴルフクラブヘッド １４の下端までの長さ（クラブ長さ）は、番手が大きくなるにつれ次第に短くなっている。すなわち、番手が小さいものの方がゴルフクラブシャフト１２の長さが長い。
【００２１】
このようなゴルフクラブセット１０における各番手のロフト角度は、図１中のアイアンＡ６について示されているように、ゴルフクラブシャフトの中心軸ＣＬとゴルフクラブのフェース面１５との成す角度であり、図２に示されるようなロフト角度測定器６０により測定される。図３は、アイアンＡ６をロフト角度測定器６０に取り付けた例を示し、図４は、図２中のゴルフクラブヘッド１４の周辺を拡大して示している。
【００２２】
ロフト角度の測定は、ゴルフクラブ（アイアンＡ６）をロフト角度測定器６０に取り付けた状態において、アイアンＡ６が基準面６２に対してライ角度通りに設置するようにライ角度調整部６３において取り付け角度が調整され、次いで、ロフト角度測定器６０に取り付けられたゴルフクラブ（アイアンＡ６）は、ソール部が基準面６２に接するように、かつ、フェース角度調整具６６の先端部６６ａにフェース面１５が密着するように、すなわち、フェース角が０°になるように、ゴルフクラブ（アイアンＡ６）がチャック部６８で固定される。
【００２３】
ここで、ライ角度通りに設置とは、フェース面１５に設けられたスコアラインがフェース角度調整治具６６の先端部６６ａと平行になるように設置することをいう。また、スコアラインが直線でない等、スコアラインによる判別が困難な場合、ソール部が後述する図８（ａ）に示すように、ソール部のトウ側（Toe）とヒール側（Heel）の間で凸状に丸くなっている場合、基準面６２とソール部の間に生じる隙間がトウ側とヒール側で略等しくなるように設置することをいう。
さらに、ソール部の凸状の部分が不明瞭であり、かつスコアラインが直線状でなく基準面６２との平行が判別できない場合、ライ角度は、１００−ゴルフクラブ長さ（インチ）の値として設定されてライ角度通りに設置される。例えば、３６インチのゴルフクラブ長さの場合、ライ角度を６４度（＝１００−３６）とする。なお、ゴルフクラブ長さは、ゴルフクラブヘッドにおけるソール面とネック部の背部の接点からグリップエンド（キャップの丸みを含まない）までの長さであり、例えば、株式会社鴨下精衡所製のクラブ・メジャーII等の測定器を用いて、社団法人日本ゴルフ用品協会が基準とするトラディショナル・スタンダード測定法により測定される。又、スコアラインが直線状でない場合、ゴルフクラブシャフトの中心軸ＣＬとリーディングエッジ１４ａとが互いに平行になるとは、フェースアングルが０度の状態を指し、これに代用される。
【００２４】
ここで、クラブ長さは、社団法人日本ゴルフ用品協会が定める測定法により測定される。測定器としては、株式会社鴨下精衡所製のクラブ・メジャーIIが挙げられる。即ち、ヒール側の端部とグリップエンドとの間の距離をクラブ長さとするのである。
【００２５】
その後、図４（ａ），（ｂ）に示すように、ゴルフクラブヘッド１４のフェース面１５の基準面６２に垂直に立てた分度器７０を用いてロフト角度が測定される。フェース面１５が平面の場合（図４（ａ）参照）、上記測定によってロフト角度が得られる。フェース面１５が凸状に丸くなっている場合、図４（ｂ）に示すように、フェース面１５の中点Ｍに分度器７０の測定面が接するように当てて測定される。
ロフト角度の測定は、上述のように、ゴルフクラブによって測定する他、ゴルフクラブヘッド単体にシャフトピンを差し込んで測定することも可能である。ゴルフクラブヘッド単体で測定して得られるロフト角度の数値は、上述のゴルフクラブによって測定して得られるロフト角度と実質的に同じである。
【００２６】
このようなロフト角度の測定器は、市販されている公知のものであればよく、例えば、昇峰企業社製の高爾夫球頭測度台、ゴルフギャレーヂ社製のゴルフクラブアングル測定器、ゴルフスミス社製のゴルフクラブゲージ等の測定器が例示される。このような測定器は公知のものであれば良く、本発明において特に限定されるものではない。
【００２７】
本実施形態のゴルフクラブセット１０は、１０本のアイアンをゴルフクラブセットとしたものであるが、本発明のゴルフクラブセットには、アイアンゴルフクラブセットのみならず、ウッドゴルフクラブセット 、ウッドゴルフクラブセットとアイアンゴルフクラブセット の境界を取り払ったようなゴルフクラブセット 、ロングアイアンに相当するもののみのゴルフクラブセット 、また、ウッドゴルフクラブとアイアンゴルフクラブの中間的性能を備えてどちらにも分類しがたい、いわゆるユーティリティゴルフクラブを含めたゴルフクラブセット等、ロフト角度が異なる複数本のゴルフクラブによって構成されるものも含まれる。この場合、ロフト角度が１３°〜２４°の複数本のゴルフクラブであることが好ましい。
【００２８】
図５（ａ）は、図１に示すアイアンゴルフクラブのうち、Ａ６の番手の一例であるアイアンゴルフクラブ２０の斜視図である。アイアンゴルフクラブ２０は、ゴルフクラブシャフト２２と、ゴルフクラブシャフト２２の先端部に装着したゴルフクラブヘッド２４と、ゴルフクラブシャフト２２の後端部に装着したグリップ２６と、を有する。
【００２９】
図５（ｂ）は、図５（ａ）に示すＸ−Ｘ’線に沿って切断したときの断面図である。ゴルフクラブシャフト２２の周りを取り巻くように、グリップ２６が設けられており、グリップ２６の外周の一部には、部分的に突出した突部が設けられている（図５（ｂ）では誇張して記されている）。この突部はゴルフクラブシャフト２２の長手方向の同じ周上位置に設けられてバックライン２８を形成する。
ゴルフクラブシャフト２２に装着される前のグリップ２６では、図５（ｃ）に示すように、筒状のグリップ２６の内周面の一部分が平坦部２０を成しており、ゴルフクラブシャフト１２を装着することによってバックライン１８が凸状に形成されるようになっている。
グリップ２６は、主にゴムなどの柔軟な材料からなる。
【００３０】
図６は、グリップ２６の詳細を示す一例の図である。
図６には、グリップ２６の表面下側には正面表示部３２が設けられ、ロゴマーク「ＡＢＣＤ」が表示されている。一方、グリップ２６の表面上側の正面表示部３２と反対側の位置には、背面表示部３４が設けられ、ロゴマーク「ＡＢＣＤ」が表示されている。グリップ１６の下側にロゴマーク「ＡＢＣＤ」が設けられている側を正面側とし、正面表示部３２の中央部分を０度の周上位置とする。グリップ１６の上側にロゴマーク「ＡＢＣＤ」が設けられている側を背面とし、背面表示部の中央部分を１８０度の周上位置とする。このとき、平坦部２０は１８０度の周上位置より図６中左側に位置している。
【００３１】
なお、正面表示部３２とは、グリップ２６の正面部分に存在する目視にて識別可能な表示部分である。正面表示部３２に記されるマークは、点、線、文字、記号等識別可能な限り特に限定しない。一般的には正面表示部３２をゴルフクラブ２０の正面、つまり、ゴルフクラブ２０をグリップ２６のグリップ軸の栓部からの延長線上から見た状態において、グリップ軸と正面表示部３２の中央部分を結んだ線の向きとゴルフクラブフェース面のスコアラインの向きとが平行になるようにグリップ２６が装着される。
正面表示部３２は、グリップ２６の長手方向の異なる２箇所以上の位置に設けることが好ましい。２箇所以上設けることによってグリップ２６の各正面表示部３２を所望の位置になるようにグリップ２６を装着することが可能になる。また、主にゴムなどの柔軟な材料からなるグリップ２６の装着時に起りがちな捩じれを察知して必要により解消することが可能になる。
【００３２】
背面表示部３４は、グリップの背面部分に存在する目視にて識別可能な表示部分である。背面表示部３４に記されるマークは、点、線、文字、記号等識別可能な限り特に限定しない。一般的には背面表示部３４をゴルフクラブの背面、つまり、ゴルフクラブをグリップ軸の延長線上から見た状態において、グリップ軸と背面表示部３４を結んだ線の向きとゴルフクラブフェース面のスコアラインの向きとが平行になるようにグリップ２６が装着される。
背面表示部３４はグリップ２６の長手方向の異なる２箇所以上の位置に設けることが好ましい。２箇所以上設けることによってグリップ２６の各背面表示部３４を所望の位置になるようにグリップ２６を装着することが可能になる。また、主にゴムなどの柔軟な材料からなるグリップ２６の装着時に起りがちな捩じれを察知して必要により解消することが可能になる。
【００３３】
このようなグリップ２６では、グリップの中心軸と正面表示部３２の中央部分を結んだ線の向きとゴルフクラブヘッド２４のゴルフクラブフェース面のスコアラインの向きとが平行になるように装着されるので、バックライン２８の位置（中心位置）は、１８０度の周上位置より左側又は右側に３〜５０度回転した状態で装着される。
すなわち、図７（ａ），（ｂ）に示すように、グリップ２６及びゴルフクラブシャフト２２をゴルフクラブシャフト２２の中心軸に垂直に切断したときの切断平面において、グリップ２６のバックライン２８が設けられたゴルフクラブシャフト周りの周上位置からゴルフクラブシャフト２２の中心軸を通る直線Ｌと、ゴルフクラブをライ角度通りに水平面上に置き、ゴルフクラブヘッド２４のフェース面上の水平線を前記切断平面に投影したときの投影線Ｓとを定めたとき、直線Ｌの向きが、直交線Ｓの向きに対してゴルフボールの飛球線後方向、前方向に３〜５０度回転している。この角度をグリップ角度という。本発明において回転しているとは、グリップ軸の栓部からの延長線上から見た状態において、時計周りの回転方向を指す。したがって、図７（ａ）ではグリップ角度は負となる。図７（ａ）に示す場合、インパクト時のフェースは開くので、スライス傾向の球筋を呈する。
【００３４】
一方、グリップ角度が正となる図７（ｂ）の例では、直線Ｌの向きが、直交線Ｓの向きに対してゴルフボールの図中右に回転した状態となる。図７（ｂ）に示す場合、インパクト時のフェースは閉じるので、フック傾向の球筋を呈する。
なお、図７（ｃ）では、本発明とは異なるグリップ角度が０となる場合を示している。
【００３５】
なお、ゴルフクラブヘッド２４のフェース面上の水平線とは、図８（ａ），（ｂ）に示すようにゴルフクラブ２０を通常のアドレスポジションに設置した（ライ角度通り設置した）状態における基準面（水平面）Ｈと平行なフェース面２４ｂ上の直線を指す。この水平線は、一般的にはスコアライン又はスコアライン２５に平行な直線で代用される。スコアライン２５はフェース面２４ｂの基準を示すように設定されているものである。また、スコアライン２５が直線状でない等の場合には、通常のアドレスポジションに設置した状態において、フェース面２４ｂ上に基準面Ｈと平行になるような線を目印として付けてフェース面２４ｂ上の水平線とすることができる。
【００３６】
ここで、ゴルフクラブ２０を通常のアドレスポジションに設置するとは、ゴルフクラブヘッド１４をライ角度通りに設置し、かつ、図８（ａ），（ｂ）に示すようにゴルフクラブ２０のゴルフクラブシャフトの中心軸ＣＬとリーディングエッジ２４ａとが互いに平行になるように、又スコアライン２５と平行になるように設置することをいう。
ライ角度通りに設置とは、上述したようにフェース面に設けられたスコアライン２５がフェース角度調整治具６６の先端部６６ａ（図３参照）と平行になるように設置することをいい、又ソール部のラウンドと基準面Ｈとのなす隙間がトウ側及びヒール側にて略等しくなる状態に設置することをいう。さらに、上述したように、ソール部の凸状の部分が不明瞭であり、かつスコアラインが直線状でなく基準面Ｈとの平行が判別できない場合、ライ角度は、１００−ゴルフクラブ長さ（インチ）の値として設定されてライ角度通りに設置される。
又、スコアラインが直線状でない場合、ゴルフクラブシャフトの中心軸ＣＬとリーディングエッジ１４ａとが互いに平行になるとは、フェースアングルが０度の状態を指し、これに代用される。
通常のアドレスポジションにおいて、リーディングエッジ２４ａの方向はフェース面が指す方向と直角な方向に設定される。
【００３７】
上述のようにフェース面２４ｂの方向を特定し、通常のアドレスポジションを設定した状態で行うゴルフクラブヘッドの寸法測定は、昇峰企業社製の高爾夫球頭測度台、ゴルフギャレーヂ社製のゴルフクラブアングル測定器、ゴルフスミス社製のゴルフクラブゲージ等の測定器により可能である。このような測定器は公知のものであれば良く、本発明において特に限定されるものではない。
【００３８】
このようなグリップ角度を備えるゴルフクラブ２０は、図９に示される計測装置４０で、ゴルフクラブヘッド２４のスコアラインの向きと、バックライン２８の突出部の周上位置とを計測することができる。具体的には、ゴルフクラブシャフト２２を平面Ａ上に設けられた支持部材４５で回転自在に支持しつつ、グリップ２６の端に角度目盛り板４３を配置する。符号４４は目盛り指示板である。
パット部材４１は、図９に示すように、平面Ａに平行なＸ方向に移動可能であり、さらに平面Ａに対して傾斜角度を持つようにＣ方向に揺動可能に構成されている。
まず、パット部材４１を、Ｃ方向に揺動させてゴルフクラブヘッド２４のライ角度に合うようにして傾斜角度を固定し、パット部材４１をＸ方向に移動させつつ、パット部材４１の平面とフェース面２４ｂがぴったりと一致するようにゴルフクラブシャフト１２を回転させて、フェース面１４ｂのスコアライン１５が鉛直方向に向くようにし、このときの角度目盛り板３３の目盛りを読み取る（角度Ａ）。
【００３９】
さらに、レーザ外径測定器４８を用いて、グリップ２６の端から１２０ｍｍの位置の外径を、ゴルフクラブシャフト２２を１周回転させることにより計測する。処理装置４９にて計測結果を表示して、バックライン２８の突出部の部分を求め、この部分の中央の位置の角度目盛り板４３の目盛りを読み取る（角度Ｂ）。レーザ外径測定器４８によって求めた最大の外径の示す部分の向きがバックラインの突出部の向きである。
【００４０】
こうして、読み取られた角度Ａと角度Ｂとから、バックライン２８と、フェース面に設けられたスコアラインの向きとの間の成す角度（グリップ角度）を求めることができる。すなわち、グリップ２６及びゴルフクラブシャフト２２を、ゴルフクラブシャフト２２の中心軸に垂直に切断したときの切断平面において、グリップ２６のバックライン２８が設けられたゴルフクラブシャフト２２周りの周上位置からゴルフクラブシャフト２２の中心軸を通る直線と、ゴルフクラブ２０をライ角度通りに水平面上に置き、ゴルフクラブヘッド２４のフェース面上の水平線を切断平面に投影したときの投影線（スコアラインに平行な直線）とを定めたとき、直線の向きが投影線の向きに対して成すグリップ角度を算出することができる。
なお、バックライン２８の中央とは、グリップ２６の中心軸から最も離れている位置である。また、グリップ角度を求める際にバックライン１８が捩れて一定のグリップ角度を成していない場合もある。この場合は、グリップ２６の端部よりグリップ２６の中心軸の方向に沿った１２０ｍｍの位置におけるバックライン２８の中央の位置を基準にしてグリップ角度を求めればよい。
【００４１】
このようにして算出される直線Ｌの向きが直交線Ｓの向きに対して成すグリップ角度θが、本発明のゴルフクラブセットでは、ロフト角度が２０〜４１度の規定範囲にある全てのゴルフクラブ（Ａ３〜Ａ８の６本）において、絶対値で３〜５０度となっている。この場合、グリップ角度θのばらつきは、１０度以下であることが好ましく、５度以下であることがより好ましい。
本発明において、ロフト角度を２０〜４１度の範囲とするゴルフクラブを対象とするのは、ロフト角度がこの範囲にあるゴルフクラブは、ゴルフクラブセットにおいて特に球筋の傾向を揃えて好ましい方向性を得ることが要求されるからである。ロフト角度が２０〜４１度の範囲外のゴルフクラブは、球筋の傾向を揃えて好ましい方向性を得るというよりは、どちらかというと打球の飛距離を追求したり、フェースの開き加減を変化させて打球するような使い方をするものである。
また、ロフト角度が２０〜４１度の規定範囲にあるＡ３〜Ａ８の６本全てのゴルフクラブについて、ロフト角度が最小の番手から順番に１から始まる連続する自然数Ｘで表し、かつグリップ角度をＹで表した、自然数Ｘに対するグリップ角度Ｙを回帰直線で回帰した際、回帰直線の傾きが−１以下であることが好ましい。この回帰直線の傾きは−２以下であることがより好ましい。すなわち、ゴルフクラブの番手が大きくなるほど、フック傾向からスライス傾向の球筋が出易いように設定されることが好ましい。一般にゴルファは、ロングアイアン程スライス傾向の球筋を呈し易いからである。
【００４２】
グリップ角度θが負の角度で３〜５０度付いている場合、打ち出されるゴルフボールの球筋はスライス傾向となる。すなわち、凸状のバックライン２８は、ゴルファがグリップ２６を握る際、指（中指、薬指）の腹でゴルフクラブ２０を支持する際の手がかりとし、これに基づいてアドレス状態を決定する。したがって、トップの状態からアドレス状態に戻るときのインパクト時において、グリップ角度が０の場合は、図７（ｃ）に示すように、フェース面はスクエアとなる。一方、グリップ角度θ＜０度の場合は、図７（ａ）に示すように、フェース面が開く。反対に、グリップ角度θ＞０度の場合は、図７（ｂ）に示すように、フェース面が閉じる。
上記ゴルフクラブセット１０では、ロフト角度が２０〜４１度の規定範囲にある全てのゴルフクラブ（Ａ３〜Ａ８の６本）において、グリップ角度θ＞０度又はθ＜０度となっており、その絶対値は３〜５０度となっている。このため、グリップ角度θ＞０度右打ちのゴルファの場合、打球が左方向（フック方向）に飛ぶ傾向が強くなる。又、グリップ角度θ＜０度右打ちのゴルファの場合、打球が右方向（スライス方向）に飛ぶ傾向が強くなる。したがって、スライス傾向のゴルファには、グリップ角度θ＞０とするゴルフクラブセットが、フック傾向のゴルファには、グリップ角度θ＜０とするゴルフクラブセットが
一般的に好ましい。
【００４３】
また、上記ゴルフクラブセット１０は、ロフト角度が２０〜４１度に設定されたアイアンゴルフクラブのセットであるが、ロフト角度が１３°〜２４°のウッド系、ユーティリティゴルフクラブを含めたゴルフクラブセットであってもよい。
この場合においても、グリップ角度θを３〜５０又は−５０〜−３度回転させたものを提供することができる。この場合においても、フック傾向のゴルファは、グリップ角度θ＜０とするゴルフクラブセットが、スライス傾向のゴルファは、グリップ角度θ＞０とするゴルフクラブセットがそれぞれ一般的に好ましい。
【００４４】
なお、一般的に、グリップ２６は正面表示部３２を有しており、正面表示部３２がゴルフクラブ２０の正面方向を指して、ゴルファがグリップする際の目印とするものであるが、ゴルファによってはショットの目的によって何種類かの握り方をする場合が有り、正面表示部３２が目障りとなる場合もある。このことを考慮して正面表示部３２が設けられていないものもある。しかし、グリップ２６をゴルフクラブ２０に装着することを考慮すると、グリップ２６に目印が有ることが好ましい。このような場合に、正面表示部３２又は背面表示部３４を有することが好ましい。
また、上述したようにグリップ２６を装着時に起りがちな捩じれを察知して必要により解消することが可能であることが好ましいため、目印は多い方が好ましいという点から、正面表示部及び背面表示部を有することが好ましい。
【００４５】
このようにゴルフクラブ２０において、バックライン２８の周上位置を意図的に変えることにより、スライス傾向、又はフック傾向の球筋を呈することができる。
このようなグリップ２６は、ロゴマークを表示する正面表示部３２の位置に対して、バックライン２８が、図７（ａ）、（ｂ）に示すようにするために、正面表示部３２の位置に対して時計回りで１３０〜１７７、反時計回りで１３０〜１７７度離れた周上位置に設けられているとよい。あるいは、背面表示部３４の位置に対して時計回りで３〜５０度、反時計回りで３〜５０度離れた周上位置に設けられているとよい。
このようなグリップ２６は、正面表示部３２とグリップの中心軸とを結ぶ直線がフェース面のスコアラインの向きと平行になるように装着するので、グリップ角度θは正又は負となって、フック傾向又はスライス傾向の球筋を呈する。
【００４６】
従来のグリップでは、正面表示部に対しグリップの中心軸を中心とした周方向に１８０度回転した位置にバックラインを有する。または、背面表示部と同じ方向にバックラインを有する。
本発明においては、バックライン２８を正面表示部３２又は背面表示部３４に対して拘束されずに適宜異なる相対位置関係となるように設定することによって、主にグリップ２６によって球筋の傾向を調整したり、ゴルファ個々の握り方により好ましく対応するようにできる。
また、グリップ２６をゴルフクラブ２０に装着するという面からも、本発明によって、正面表示部３２又は背面表示部３４を目印にして装着することによって、例えばグリップ２６の正面表示部３２をゴルフクラブ２０の正面にして装着しながらバックライン２８の方向を適宜設定することが可能になり、装着が容易でかつ本発明の目的を達成することが出来る。
【００４７】
又、ゴルフクラブセット１０におけるゴルフクラブは、バックライン２８に基づいて設定されるグリップ角度θを所定の範囲で回転させたものであるが、本発明は、正面表示部３２や背面表示部３４の周上位置からグリップの中心軸を結ぶ直線の向きが、ゴルフクラブフェース面のスコアラインの向きに対して所定の角度を持って回転した状態で、グリップをゴルフクラブシャフトに装着したゴルフクラブを有するゴルフクラブセットを提供する。
このようなゴルフクラブでは、グリップ及びゴルフクラブシャフトをゴルフクラブシャフトの中心軸に垂直に切断したときの切断平面において、グリップに記された正面表示部の中心の周上位置からゴルフクラブシャフトの中心軸を通る直線と、ゴルフクラブをライ角度通りに水平面上に置き、ゴルフクラブヘッドのフェース面上の水平線を前記切断平面に投影したときの投影線とを定めたとき、前記直線の向きが、ロフト角度が２０〜４１度の規定範囲にある全てのゴルフクラブにおいて、前記投影線の向きに対して絶対値で３〜５０度回転している。
ゴルファは、正面表示部３２や背面表示部３４の位置を目安にしてグリップ２６を握ることが多い。このため、絶対値で３〜５０度角度のついた表面表示部３２や背面表示部３４を目印としてグリップ２６を握るゴルファのゴルフボールの球筋を調整することができる。
又、上記ゴルフクラブセットは、ロフト角度が２０〜４１度の規定範囲のゴルフクラブを含むアイアンゴルフクラブセットの他に、ロフト角度が比較的小さいゴルフクラブの集合からなるゴルフクラブセット、例えばロフト角度が１３°〜２４°のウッドゴルフクラブ、ユーティリティゴルフクラブを含めたゴルフクラブセットであってもよい。この場合においても、前記直線の向きが前記投影線の向きに対して絶対値で３〜５０度回転してゴルフクラブシャフトにグリップが装着される。なお、本発明において、ロフト角度が比較的小さいウッドゴルフクラブ、ユーティリティゴルフクラブを含めたゴルフクラブの集合からなるゴルフクラブセットの中で、ロフト角度が１３°〜２４°の範囲にあるゴルフクラブを対象とするのは、これらのゴルフクラブは、特に球筋の傾向を揃えて好ましい方向性を得ることが要求されるからである。
【実施例】
【００４８】
以下、本発明のゴルフクラブセットについてその効果を調べた。
最初に、ゴルフクラブセットとして、グリップ角度θ＝０°のアイアンゴルフクラブセット（従来例１）を用意し、１５人のゴルファ（ゴルファＡ〜Ｏ）に打球させた。
従来例１のゴルフクラブセットを用いて５球ずつ、所定の目標に向かって打球させ、このときの各打球についての横方向のぶれ幅（ｍ）を記録した。ゴルファからみて右方向（スライス方向）のぶれを−、左方向（フック方向）のぶれを＋とした。このぶれ幅のデータから全番手のぶれ幅の平均を求め、「方向平均（ｍ）」とした。こうして、従来例１を用いて各ゴルファの球筋を求めた。
ゴルフクラブセットの全番手のうち、ロフト角度が最も小さい番手を１とし、順番に２，３，４，・・・として、番手を横軸、ぶれ幅を縦軸とする座標上にプロットし、回帰直線を求め、このときの回帰直線の傾きを「方向平均傾き」とした。
下記表１は、各ゴルファ（ゴルファＡ〜Ｏ）毎の「方向平均（ｍ）」の結果を示す。また、ゴルファａ〜ｏは、ゴルファＡ〜Ｏを「方向平均傾き」の大きさの順に並べ替えたものであり、ゴルファＡ〜Ｏのいずれかに対応するゴルファである。
【００４９】
【表１】
2006247169.tif 000003
【００５０】
表１からわかるように、ゴルファＡがスライス傾向が最も強く（方向平均−７．４ｍ）、ゴルファＯがフック傾向が最も強い（方向平均５．７ｍ）ことがわかる。また、ゴルファａが番手に最も依存した球筋を打球する（方向平均傾き１．８）。
このようなゴルファＡ、Ｏ及びａに、下記表２、表３に示す実施例１〜８，９〜１６、従来例１，２のゴルフクラブセットを用いてゴルファに５球ずつ打球させて、ぶれ幅（ｍ）を計測した。いずれのゴルフクラブセットにおいても、ゴルフクラブヘッド、ゴルフクラブシャフトは同じものを用いた。
【００５１】
【表２】
2006247169.tif 000004
【表３】
2006247169.tif 000005
【００５２】
ゴルファＡはスライス傾向の球筋なので、ゴルフクラブセットはフック傾向の球筋を呈するものが好ましい。そこで、ゴルファＡに実施例５〜８、１３〜１６のゴルフクラブセットを用いて打球させた。その際、さらに従来例１、２のゴルフクラブセットを用いて打球させた。一方、ゴルファＯはフック傾向に打球するので、ゴルフクラブセットはスライス傾向の球筋を呈するものが好ましい。そこで、ゴルファＯに実施例１〜４、９〜１２のゴルフクラブセットを用いて打球させた。その際、さらに従来例１、２のゴルフクラブセットを用いて打球させた。
又ゴルファａは、ゴルフの番手が大きくなるほど、フック傾向になる特徴を持つため、番手によりグリップ角度が変化する実施例３，４，７，８、１１，１２，１５，１６のゴルフクラブセットを用いて打球させた。その際、従来例１、２のゴルフクラブセットも用いて打球させた。実施例３，４，７，８、１１，１２，１５，１６はいずれも、自然数で表される番号とグリップ角度の関係を回帰直線で回帰した際の回帰直線の傾きが−１以下である。
下記表４〜６はその結果である。
【００５３】
【表４】
2006247169.tif 000006
【００５４】
【表５】
2006247169.tif 000007
【００５５】
【表６】
2006247169.tif 000008
【００５６】
表４からわかるように、実施例５〜８は、従来例１に対して「方向平均（ｍ）」の絶対値が小さくなっていることがわかる。つまり、実施例５〜８によって、打球が右に飛びがちなゴルファＡの特徴を緩和していることが分かる。ウッド系ゴルフクラブセットである実施例１３〜１６においても、従来例２に対して打球が右に飛びがちなゴルファの特徴を緩和していることがわかる。
【００５７】
一方、表５からわかるように、実施例１〜４は、従来例１に対して「方向平均（ｍ）」の絶対値が小さくなっていることが分かる。つまり、実施例１〜４によって、打球が左に飛びがちなゴルファＯの特徴を緩和していることがわかる。ウッド系ゴルフクラブセットである実施例９〜１２においても、従来例２に対して打球が左に飛びがちなゴルファの特徴を緩和していることがわかる。
【００５８】
一方、ゴルファaは、右打ちのゴルファでロフト角度が小さい番手ほど相対的に打球が右に飛びがちなゴルファである。各ゴルフクラブセットにつき各ゴルフクラブで５球ずつ所定の目標方向に向って打球し、各打球についての横へのブレ幅（ｍ）を、打球側から見て右方向を−、左方向を＋として、各番手のブレ幅（ｍ）を記録した。そして、最もロフト角度の小さい番手を１とし、順番に２、３という様に番手を横軸に、先ほど記録したブレ幅（ｍ）を縦軸にプロットし、回帰直線を求め、その回帰直線からその傾きである「方向平均傾き」を求めた。表６によると、実施例３，４，７，８における「方向平均傾き」は、従来例１における「方向平均傾き」の絶対値に比べて小さくなっていることが分かる。つまり、実施例３，４，７，８によって、ロフト角度が小さい番手ほど相対的に打球が右に飛びがちなゴルファの症状を緩和していることがわかる。
又、ウッド系ゴルフクラブセットである実施例１１，１２，１５，１６における「方向平均傾き」も、従来例２における「方向平均傾き」の絶対値に対して小さくなっていることがわかる。つまり、実施例１１，１２，１５，１６によって、ロフト角度が小さい番手ほど相対的に打球が右に飛びがちなゴルファの症状を緩和していることが分かる。
【００５９】
以上、本発明のゴルフクラブセット及びゴルフクラブ用グリップについて詳細に説明したが、本発明は上記実施形態に限定されず、本発明の主旨を逸脱しない範囲において、種々の改良や変更をしてもよいのはもちろんである。
【図面の簡単な説明】
【００６０】
【図１】本発明のゴルフクラブセットの一例を示す模式図である。
【図２】ロフト角度測定器を用いたゴルフクラブのロフト角度の測定を説明する説明図である。
【図３】図３に示す説明図の部分拡大図である。
【図４】（ａ），（ｂ）は、図２に示すロフト角度測定器を用いたゴルフクラブのロフト角度の測定を説明する説明図である。
【図５】（ａ）〜（ｃ）は、本発明のゴルフクラブセットにおけるゴルフクラブを説明する図である。
【図６】本発明のゴルフクラブ用グリップの一例を説明する図である。
【図７】（ａ）〜（ｃ）は、グリップ角度とフェース面の向きを説明する図である。
【図８】（ａ），（ｂ）は、ゴルフクラブヘッドのフェース面上の水平線を説明する図である。
【図９】グリップ角度を計測する計測装置の一例を示す図である。
【符号の説明】
【００６１】
１０  ゴルフクラブセット
１２，２２  ゴルフクラブシャフト
１４，２４  ゴルフクラブヘッド
１５  フェース面
１６，２６  グリップ
１９  ソケット
２０  ゴルフクラブ
２８  バックライン
３０  平坦部
３２  正面表示部
３４  背面表示部
４０  計測装置
４１  パット部材
４２  リーディングエッジ
４３  角度目盛り板
４４  目盛り指示板
４５  支持部材
４８  レーザ外径測定器
４９  処理装置
６０  ロフト角度測定器
６２  基準面
６３  ライ角度調整部
６６  フェース角度調整具
７０  分度器  
【図１】
2006247169.tif 000009
【図２】
2006247169.tif 000010
【図３】
2006247169.tif 000011
【図４】
2006247169.tif 000012
【図５】
2006247169.tif 000013
【図６】
2006247169.tif 000014
【図７】
2006247169.tif 000015
【図８】
2006247169.tif 000016
【図９】
2006247169.tif 000017